(57)【特許請求の範囲】
【請求項１】
開口部の一縁が延長され、その延長部に設けられた２つのピン穴に上端が上方に向けて開放されたピンを差し込んで積層して保持されたプラスチック袋を、斜め上方からエアを吹き付けて上から一枚づつ開口させるプラスチック袋の開口方法において、下方から押し上げられている積層された袋の前記延長部を、前記２つのピン穴の間でセンタ保持部材によって押さえて前記延長部における前記ピン穴の内側の上面を常に一定の高さに保持するとともに前記ピン穴の両外側でサイド保持部材によって押さえて前記延長部における前記ピン穴の両外側の上面を常に一定の高さに保持し、斜め上方からエアを吹き付けて袋を開口させるときは前記サイド保持部材を解放させ、開口された袋を排出するときは前記積層された残りの袋の前記延長部における前記ピン穴の両外側を前記サイド保持部材で押さえて前記延長部における前記ピン穴の外側の上面を常に一定の高さに保持し前記センタ保持部材を解放することを特徴とするプラスチック袋の開口方法。
【請求項２】
前記エアを熱風としたことを特徴とする請求項１に記載のプラスチック袋の開口方法。
【請求項３】
袋の開口部の一縁の延長部に形成されたピン穴に差し込まれる上端が上方に向けて開放された２本のピンと、同ピンの内側に配置され、両ピンの間で、下方から押し上げられている積層された前記袋の延長部を押さえてその延長部におけるピン穴の内側の上面を常に一定の高さに保持又は解放するセンタ保持部材と、同ピンの両外側に配置され両ピンの外側で、下方から押し上げられている積層された前記袋の延長部を押さえてその延長部における前記ピン穴の両外側の上面を常に一定の高さに保持又は解放するサイド保持部材と、前記２本のピンの間に斜め上方からエアを吹き付けるエア吹き付け手段とを有することを特徴とするプラスチック袋の開口装置。
【発明の詳細な説明】
【０００１】
【発明の属する技術分野】
本発明は、袋の開口方法及び開口装置に関し、更に詳しくは、開口部の一縁が延長されて、その延長部に設けた２つのピン穴に、上端が開放されたピンを差し込んで保持されたプラスチック袋を一枚づつ開口させる方法及び開口装置に関する。
【０００２】
【従来の技術】
包装用のプラスチック袋に品物を入れて包装する装置においては、積層して保持された袋を一枚づつ開口させることが必要である。
包装用袋を積層させておいて、上から一枚づつ開口させてゆく操作をやり易くするため、従来、図４に示すように、開口部０の一縁を延長して延長部２としたプラスチック袋１を形成し、その延長部２に２つのピン穴３を設け、図５のようにそのピン穴３にピン０４を差し込んで積層状態に保持し、この状態のプラスチック袋１を上から一枚づつ開口させて品物を入れてゆく方法が採用されていた。
【０００３】
図５のようにピン０４がピン穴３に差し込まれて保持された袋を開口させて一枚づつ使用してゆく場合、プラスチック袋１をピン０４から外さなければならない。従来は、ピン穴３にピン０４が差し込まれた状態のまま品物をプラスチック袋１内に入れ、その際の力などを使ってプラスチック袋をピン穴３部分で引きちぎることが行われていた。０５はプラスチック袋１がピン穴３のところで引きちぎられ易いように設けられたミシン目である。
【０００４】
このようにピン穴３部分でちぎったプラスチック袋１にはピン穴３部分に破損片が残って包装品の外観を損ねることから、本出願人は、先に図６のように上端が開放されたピン４にプラスチック袋１の穴を差し込んで保持し、そのプラスチック袋１の開口部０に斜め上方からエアを吹いて袋を開口させるときに穴３のところでちぎることなくプラスチック袋１の穴をピン４から抜き出させて袋を開口させるようにした方法を提案した（特開２０００−２５５５１４号）。
【０００５】
しかしながら、この開口方法では、ピン穴３の内側１箇所でプラスチック袋１をセンタ保持部材５で押さえているだけであり、開口した袋を送り出すときにこの保持部材５を開放すると、積層されたプラスチック袋１の積層が乱れたり、袋が変位して開口操作に支障を来す恐れがあった。
【０００６】
【発明が解決しようとする課題】
本発明は、開口部の一縁が延長され、その一縁の延長部に設けられた２つのピン穴に、上端が開放されたピンを差し込んで積層して保持されたプラスチック袋を、斜め上方からエアを吹き付けて上から一枚づつ開口させる場合に、袋を円滑に開口させて、安定して送り出すことができるプラスチック袋の開口方法と開口装置を提供することを課題としている。
【０００７】
【課題を解決するための手段】
本発明は、前記課題を解決するため、開口部の一縁が延長され、その延長部に設けられた２つのピン穴に上端が上方に向けて開放されたピンを差し込んで積層して保持されたプラスチック袋を、斜め上方からエアを吹き付けて上から一枚づつ開口させるプラスチック袋の開口方法において、下方から押し上げられている積層された袋の前記延長部を、前記２つのピン穴の間でセンタ保持部材によって押さえて前記延長部における前記ピン穴の内側の上面を常に一定の高さに保持するとともに前記ピン穴の両外側でサイド保持部材によって押さえて前記延長部における前記ピン穴の両外側の上面を常に一定の高さに保持し、斜め上方からエアを吹き付けて袋を開口させるときは前記サイド保持部材を解放させ、開口された袋を排出するときは前記積層された残りの袋の前記延長部における前記ピン穴の両外側を前記サイド保持部材で押さえて前記延長部における前記ピン穴の外側の上面を常に一定の高さに保持し前記センタ保持部材を解放するようにしたプラスチック袋の開口方法を提供する。
【０００８】
本発明による袋の開口方法においては、開口部の縁の延長部を２つのピン穴の間でセンタ保持部材により押さえてその延長部におけるピン穴の内側の上面を常に一定の高さに保持された袋の開口部に向け斜め上方からエアを吹き付けるので袋は積み重ね位置に保持されたまま部分的に開口され、このとき前記サイド保持部材で一定の高さに保持されていた延長部におけるピン穴はピンから抜け出る。
【０００９】
こうして形成された開口部に、上下右左方向などに拡張する開口部材を挿入して開口部を拡張させると、袋の延長された下側の一縁の延長部はピン穴の中間でセンタ保持部材によって押えられている部分を除いて上方に持ち上げられ、これによってピンから抜け出ていないピン穴も上端が開放されたピンから抜ける。
【００１０】
以上のようにしてプラスチック袋はピン穴のところで引きちぎられずにピンから外れて開口部を拡張され、包装すべき品物を受け入れうる状態になる。このようにして開口された袋には、従来のもののようなピン穴部近辺に引きちぎった破片が生じておらず、外観が優れた包装品を生産できる。以上のように袋が開口されたあと、開口された袋の下に積層されている袋は、その一縁の延長部をピン穴の両外側でサイド保持部材によって押されてその延長部における前記ピン穴の両外側の上面は常に一定の高さに保持されるので、開口された袋を排出するときにセンタ保持部材を開放しても積層された袋はサイド保持部材で押さえられ、その上面が常に一定の高さに保持され、その積層状態を乱すことがない。
【００１１】
こうして、積層された袋の上面には、センタ保持部材及びサイド保持部材の少なくともいずれか一方が常に当接された状態になっていて、下方から押し上げられている積層された袋の上面を受けて、その上面を常に一定の高さに保持している。
本発明の開口方法によれば、積層されたプラスチック袋を上から一つづつ安定した状態で開口させてゆくことができる。
【００１２】
前記した本発明の袋開口方法において、袋を開口させる為に吹き付けられるエアの温度を高めると、開口された袋の温度を上げて、その柔軟性を増すので、充てんすべき品物を円滑に袋内に挿入することができ、袋を挿入品物で破いたりすることがない。
【００１３】
また、本発明は、前記課題を解決するため、袋の開口部の一縁の延長部に形成されたピン穴に差し込まれる上端が上方に向けて開放された２本のピンと、同ピンの内側に配置され、両ピンの間で、下方から押し上げられている積層された前記袋の延長部を押さえてその延長部におけるピン穴の内側の上面を常に一定の高さに保持又は解放するセンタ保持部材と、同ピンの両外側に配置され両ピンの外側で、下方から押し上げられている積層された前記袋の延長部を押さえてその延長部における前記ピン穴の両外側の上面を常に一定の高さに保持又は解放するサイド保持部材と、前記２本のピンの間に斜め上方からエアを吹き付けるエア吹き付け手段とを有するプラスチック袋の開口装置を提供する。
【００１４】
このプラスチック袋の開口装置によれば、前記した本発明の開口方法を円滑に実施することができる。
【００１５】
【発明の実施の形態】
以下、本発明によるプラスチック袋の開口方法について図１〜図３に示した実施の形態に基づいて具体的に説明する。
図１〜図３において、１は包装用プラスチック袋で、開口部０以外は閉じられている。開口部０の一縁、すなわち、図では下の縁が延長され、その延長部２には互いに間隔を保った２個のピン穴３が形成されている。
【００１６】
このように形成されたプラスチック袋１は積層されて、上方が開放された２本のピン４にそのピン穴３が挿し込まれて保持されている。積層されたプラスチック袋１は、そのピン穴３の間で延長部２が適宜のセンタ保持部材５で押えられる。また、積層されたプラスチック袋１はピン穴３の外側で縁２をサイド保持部材１１で押さえられる。
【００１７】
積層されたプラスチック袋１は、エアシリンダ等によって下方から所定圧で押し上げられており、その押し上げ力をセンタ保持部材５とサイド保持部材１１で受けて、積層されたプラスチック袋１の上面は常に同じレベルに保たれている。
【００１８】
プラスチック袋を前記したように積層状態で保持させたのち、サイド保持部材１１による押さえを開放してプラスチック袋の開口部０に向けて斜め上方からエアノズル６でエア７を吹きつけると、一番上の袋の開口部０は、図３の実線８のように開口される。
【００１９】
エアノズル６から吹き付けられるエア７は、温度５０〜８０°Ｃの熱風であり、開口される袋の温度を上げて、その柔軟性を高めるので、袋内に品物を充てんするときに、その品物の角部などで袋が裂けるのを防ぐことができる。
このエアの具体的温度は、使用する袋の材質、厚さ、充填される品物の形状や固さ等を考慮して適切な温度を選定する。
こうしてエアノズル６からのエア７によって形成された開口に対して開口部材９が挿入される。開口部材９は、互いの間隔を拡縮可能な下方のバー９−１（２本）と上方のバー９−２（２本）の４本のバーを有している。
【００２０】
開口部材９は、袋の開口内に挿入されたあと、上方のバー９−２が上方に変位され、袋の開口を仮想線１０で示すように拡げる。
エア７による袋の部分的開口動作又は、開口部材９による開口の拡張動作によって、ピン４が挿入されていたピン穴３は、上端が開放されているピン４から抜け出され、このとき、延長部２はピン穴３のところで破られることはない。
【００２１】
このように、サイド保持部材１１による押さえが開放されても積層されたプラスチック袋１の上面は、センタ保持部材５によって下方からの押し上げ力が受けられ、プラスチック袋１の上面は常に同じ高さに維持されるようになっている。一番上の袋がピン４から抜けたあと、開口された袋の下に積層されている袋はサイド保持部材１１により図３のように保持される。
【００２２】
こうして袋１が開口部材９によって最大限に開口されたあと、包装すべき品物がその開口から袋内に充填される。
なお、袋１内への品物の充填前、充填動作中、又は充填後の適宜のときに保持部材５の押しつけ力を弱め、開口された一番上の袋１を積層状態から開放するようにしてもよい。
【００２３】
品物が充填された袋が排出されるときはセンタ保持部材５は袋の縁２を開放する。センタ保持部材５が袋の押さえを開放しても袋の縁の延長部２はピン４の両外側でサイド保持部材１１で押されていて袋の積層状態が整然と保持されるとともに、積層されたプラスチック袋１に対する下方からの押し上げ力がサイド保持部材１１で受けられ、プラスチック袋１の上面は一定の高さに保持される。
また、開口部材９としては、袋１の開口内に差し込まれ、その開口を上下方向、左右方向、又は上下左右方向に拡げるように構成したものを、開口すべき袋の形状や大きさなどに応じて適宜選択して用いてよい。
【００２４】
以上、本発明を図示した実施形態に基づいて具体的に説明したが、本発明がこれらの実施形態に限定されず特許請求の範囲に示す本発明の範囲内で、その具体的構造、構成に種々の変更を加えてよいことはいうまでもない。
【００２５】
例えば、上記実施形態では、開口部材９として、上方のバー９−２が真直ぐ上方に変位して袋の開口を拡げる構成のものを図示して説明したが、４本のバーがそれぞれ４５°づつ斜上方と斜下方に変位して開口を拡張するような構成の開口部材を使用してもよく、要は、この種の開口拡張部材として公知のものを適宜採用してよい。
【００２６】
また、上記実施形態では、エアノズル６から吹き付けられるエア７を、温度５０〜８０°Ｃの熱風として、開口される袋の温度を上げて、その柔軟性を高めるようにしているが、夏期など外気温度が高いときや、袋が柔軟性のある材質のプラスチックで構成されている場合などは、熱風を使う必要はなく、常温のエアであってよい。
【００２７】
【発明の効果】
以上説明したように、本発明は、開口部の一縁が延長され、その延長部に設けられた２つのピン穴に上端が上方に向けて開放されたピンを差し込んで積層して保持されたプラスチック袋を、斜め上方からエアを吹き付けて上から一枚づつ開口させるプラスチック袋の開口方法において、下方から押し上げられている積層された袋の前記延長部を、前記２つのピン穴の間でセンタ保持部材によって押さえて前記延長部における前記ピン穴の内側の上面を常に一定の高さに保持するとともに前記ピン穴の両外側でサイド保持部材によって押さえて前記延長部における前記ピン穴の両外側の上面を常に一定の高さに保持し、斜め上方からエアを吹き付けて袋を開口させるときは前記サイド保持部材を解放させ、開口された袋を排出するときは前記積層された残りの袋の前記延長部における前記ピン穴の両外側を前記サイド保持部材で押さえて前記延長部における前記ピン穴の外側の上面を常に一定の高さに保持し前記センタ保持部材を解放するようにしたプラスチック袋の開口方法を提供する。
【００２８】
この開口方法によると、袋の開口部の一縁を延長した延長部を２つのピン穴の間でセンタ保持部材で押さえてその延長部におけるピン穴の内側の上面を常に一定の高さに保持しつつ開口させてゆくので、開口の過程でピン穴はピンから引き抜かれ、そのピン穴部で袋を破ることなく開口させることができる。また、センタ保持部材を開放した袋を排出するときは積層された袋は、その延長部でサイド保持部材によって押さえられてその延長部におけるピン穴の両外側の上面が常に一定の高さに保持される。
【００２９】
従って、積層された袋の上面にはセンタ保持部材及びサイド保持部材の少なくともいずれか一方が常にあって、積層された袋を下方から押し上げる力を受けるようになっていて、袋の上面は常に一定の高さに保持される。
こうして本発明の袋開口方法によれば、開口部に引きちぎられた部分のない袋包装品を安定した状態で生産することが可能である。
【００３０】
前記した本発明の袋開口方法において、袋を開口させる為に吹き付けられるエアの温度を高めるやり方を採用したものでは、開口された袋の温度を上げて、その柔軟性を増すので、充てんすべき品物を円滑に袋内に挿入することができ、袋を挿入品物で破いたりすることがない。
【００３１】
また本発明は、袋の開口部の一縁の延長部に形成されたピン穴に差し込まれる上端が上方に向けて開放された２本のピンと、同ピンの内側に配置され、両ピンの間で、下方から押し上げられている積層された前記袋の延長部を押さえてその延長部におけるピン穴の内側の上面を常に一定の高さに保持又は解放するセンタ保持部材と、同ピンの両外側に配置され両ピンの外側で、下方から押し上げられている積層された前記袋の延長部を押さえてその延長部におけるピン穴の両外側の上面を常に一定の高さに保持又は解放するサイド保持部材と、前記２本のピンの間に斜め上方からエアを吹き付けるエア吹き付け手段とを有するプラスチック袋の開口装置を提供する。このプラスチック袋の開口装置によれば、前記した本発明の開口方法を円滑に実施することができる。
【図面の簡単な説明】
【図１】本発明による開口方法を適用する積層されたプラスチック袋を示す平面図。
【図２】図１に示したプラスチック袋に対し本発明による開口方法を実施している状態を示す説明図。
【図３】図２のＡ矢視側面図。
【図４】図１に示した袋の断面図。
【図５】従来の袋開口方法を示す斜視図。
【図６】改良された従来の袋開口方法を示す断面図。
【符号の説明】
０        開口部
１        プラスチック袋
２        延長部
３        ピン穴
４        ピン
５        センタ保持部材
６        エアノズル
７        エア
９        開口部材
９−１    下方のバー
９−２    上方のバー
１０      袋の開口
１１      サイド保持部材
【図１】
0003895153.tif 000002
【図２】
0003895153.tif 000003
【図３】
0003895153.tif 000004
【図４】
0003895153.tif 000005
【図５】
0003895153.tif 000006
【図６】
0003895153.tif 000007